(57)【要約】【課題】  この発明は、未開封確認用のバンド部を上蓋取付部に確実に係止し、また上蓋取付部をボトルの口頸部に確実に係止するボトルキャップに関する。【解決手段】 上蓋の下部に設けた環状の未開封確認用のバンド部にヒンジ部を介して断面略Ｌ字状の第１抜止め本体部からなる第１抜止め片を設け、上蓋取付部に形成された第１抜止め溝部内に第１抜止め本体部を折り返して収納し、上蓋を未開封確認用のバンド部から分離する際に、未開封確認用のバンド部の動きを上下方向に規制しうることを特徴とする。【選択図】  図１
2009051555.tif 000002
【特許請求の範囲】
【請求項１】
ボトルの口頸部内に挿入する上下が開放された外筒部とボトルの口頸部に嵌着される嵌着本体部とを有する上蓋取付部と、頂面が塞がれ下面が開口する筒状からなって内部に茶葉の微粉末などの被収納物を収納する内筒部を備え、該内筒部を前記外筒部内に挿入し前記上蓋取付部の上部に螺合して冠着される上蓋と、前記外筒部の下端から突出する内筒部の下端に着脱可能に外嵌して内筒部の下面開口を塞ぐ内筒底蓋とからなり、前記上蓋を開方向に螺進して内筒部を上昇させ、前記内筒底蓋を外筒部の下端との衝合により内筒部から脱落させ、内筒部内の被収納物をボトル内に放出してなるボトルキャップであって、
上蓋が、その下部に部分的に連結されて上蓋取付部に拘束される環状の未開封確認用のバンド部を有し、
該未開封確認用のバンド部は、その下部に断面略Ｌ字状の第１抜止め本体部と、該第１抜止め本体部を未開封確認用のバンド部に一体に連結するヒンジ部とからなる第１抜止め片を有しており、
上蓋取付部に形成された雄ネジの下端部と嵌着本体部の上面との間に形成されて、装着時に前記未開封確認用のバンド部で塞がれる第１抜止め溝部が形成され、
前記第１抜止め片をヒンジ部を介して未開封確認用のバンド部の内側に折り返して前記第１抜止め溝部内に収納し、
前記上蓋を未開封確認用のバンド部から分離する際に、未開封確認用のバンド部の動きを上下方向に規制しうることを特徴とするボトルキャップ。
【請求項２】
ボトルの口頸部内に挿入する上下が開放された外筒部とボトルの口頸部に嵌着される嵌着本体部とを有する上蓋取付部と、頂面が塞がれ下面が開口する筒状からなって内部に茶葉の微粉末などの被収納物を収納する内筒部を備え、該内筒部を前記外筒部内に挿入し前記上蓋取付部の上部に螺合して冠着される上蓋と、前記外筒部の下端から突出する内筒部の下端に着脱可能に外嵌して内筒部の下面開口を塞ぐ内筒底蓋とからなり、前記上蓋を開方向に螺進して内筒部を上昇させ、前記内筒底蓋を外筒部の下端との衝合により内筒部から脱落させ、内筒部内の被収納物をボトル内に放出してなるボトルキャップであって、
上蓋取付部の嵌着本体部の下部に断面略Ｌ字状の第２抜止め本体部と、該第２抜止め本体部を嵌着本体部に一体に連結するヒンジ部とからなる第２抜止め片を有しており、
ボトルの口頸部の雄ネジの下端部とその下方のフランジとの間に形成されて、装着時に前記嵌着本体部の下端側で塞がれる第２抜止め溝部が形成され、
前記第２抜止め片をヒンジ部を介して嵌着本体部の内側に折り返して前記第２抜止め溝部内に収納し、
ボトルの口頸部にネジ止めされる前記上蓋取付部の動きを上下方向に規制しうることを特徴とするボトルキャップ。
【請求項３】
上蓋取付部の嵌着本体部の下部に断面略Ｌ字状の第２抜止め本体部と、該第２抜止め本体部を嵌着本体部に一体に連結するヒンジ部とからなる第２抜止め片を有しており、
ボトルの口頸部の雄ネジの下端部とその下方のフランジとの間に形成されて、装着時に前記嵌着本体部の下端側で塞がれる第２抜止め溝部が形成され、
前記第２抜止め片をヒンジ部を介して嵌着本体部の内側に折り返して前記第２抜止め溝部内に収納し、
ボトルの口頸部にネジ止めされる前記上蓋取付部の動きを上下方向に規制しうることを特徴とする請求項１に記載のボトルキャップ。
【請求項４】
内筒底蓋が、外周に沿って立ち上がる環状の周壁部と、該周壁部の内側で周壁部より同心小径に設定された内側支承部と、該内側支承部と周壁部との間に形成されて内筒部の下端を嵌合する環状の嵌合溝部とを有しており、
前記内側支承部が、周壁部と対峙して立設する環状の内壁部と、該内壁部の下部で外側に突出し嵌合溝部の底部の中途位置まで延びて、内筒部の下端と衝合する環状のシール段部とを有していることを特徴とする請求項１、２または３のいずれかに記載のボトルキャップ。
【請求項５】
内筒底蓋の周壁部の上端に、外筒部の下端と衝合して気密状に内筒部内を密封する環状の補助シール部を固着してなることを特徴とする請求項４に記載のボトルキャップ。
【発明の詳細な説明】
【技術分野】
【０００１】
この発明は、粉末状の原料を収容する原料収容部を有し、開栓操作に伴い原料収容部の内筒底蓋を脱落させて原料をボトル内に放出するボトルキャップに関する。
【背景技術】
【０００２】
従来、この種のボトルキャップとして、例えば特開２００４−１０６８８８号のボトルキャップ（特許文献１）や、特開２００５−８８９９７号のボトルキャップ（特許文献２）などが知られている。
【０００３】
これらのボトルキャップでは、キャップをボトルに対して外れないようにロックする構造として、例えばボトル側にロック爪を設けてキャップを逆転しえないようにする構成が開示されているが、ボトルに特別の構造を設ける必要があり汎用性に乏しいと共に、上下方向に対しては規制が働きにくいという欠点がある。
また、未開封確認用のバンド部を上蓋取付部にロックする構造としては、段部や凸部による係止構造が一般的であるが、接触面積が狭いため十分な規制を行うことができず、上蓋を外す際に上記バンドも連動して抜け落ちるという問題点があった。
【特許文献１】特開平８−９１４１８号公報
【特許文献２】特開２００５−８８９９７号公報
【発明の開示】
【発明が解決しようとする課題】
【０００４】
この発明は上記事情に鑑み創案されたものであって、その主たる課題は、上蓋を外す際に未開封確認用のバンド部が連動して上に外れることが無いよう上蓋取付部に確実に掛止められるようにしたボトルキャップを提供することにある。
この発明の別の課題は、上蓋取付部がボトルの口頸部に確実に掛止められるようにしたボトルキャップを提供することにある。
この発明の際に別の課題は、内筒底蓋のシール性を高めたボトルキャップを提供することにある。
【課題を解決するための手段】
【０００５】
上記課題を解決するために、請求項１の発明では、
ボトルの口頸部内に挿入する上下が開放された外筒部とボトルの口頸部に嵌着される嵌着本体部とを有する上蓋取付部と、頂面が塞がれ下面が開口する筒状からなって内部に茶葉の微粉末などの被収納物を収納する内筒部を備え、該内筒部を前記外筒部内に挿入し前記上蓋取付部の上部に螺合して冠着される上蓋と、前記外筒部の下端から突出する内筒部の下端に着脱可能に外嵌して内筒部の下面開口を塞ぐ内筒底蓋とからなり、前記上蓋を開方向に螺進して内筒部を上昇させ、前記内筒底蓋を外筒部の下端との衝合により内筒部から脱落させ、内筒部内の被収納物をボトル内に放出してなるボトルキャップであって、
上蓋が、その下部に部分的に連結されて上蓋取付部に拘束される環状の未開封確認用のバンド部を有し、
該未開封確認用のバンド部は、その下部に断面略Ｌ字状の第１抜止め本体部と、該第１抜止め本体部を未開封確認用のバンド部に一体に連結するヒンジ部とからなる第１抜止め片を有しており、
上蓋取付部に形成された雄ネジの下端部と嵌着本体部の上面との間に形成されて、装着時に前記未開封確認用のバンド部で塞がれる第１抜止め溝部が形成され、
前記第１抜止め片をヒンジ部を介して未開封確認用のバンド部の内側に折り返して前記第１抜止め溝部内に収納し、
前記上蓋を未開封確認用のバンド部から分離する際に、未開封確認用のバンド部の動きを上下方向に規制しうることを特徴とする。
【０００６】
また、請求項２の発明では、
ボトルの口頸部内に挿入する上下が開放された外筒部とボトルの口頸部に嵌着される嵌着本体部とを有する上蓋取付部と、頂面が塞がれ下面が開口する筒状からなって内部に茶葉の微粉末などの被収納物を収納する内筒部を備え、該内筒部を前記外筒部内に挿入し前記上蓋取付部の上部に螺合して冠着される上蓋と、前記外筒部の下端から突出する内筒部の下端に着脱可能に外嵌して内筒部の下面開口を塞ぐ内筒底蓋とからなり、前記上蓋を開方向に螺進して内筒部を上昇させ、前記内筒底蓋を外筒部の下端との衝合により内筒部から脱落させ、内筒部内の被収納物をボトル内に放出してなるボトルキャップであって、
上蓋取付部の嵌着本体部の下部に断面略Ｌ字状の第２抜止め本体部と、該第２抜止め本体部を嵌着本体部に一体に連結するヒンジ部とからなる第２抜止め片を有しており、
ボトルの口頸部の雄ネジの下端部とその下方のフランジとの間に形成されて、装着時に前記嵌着本体部の下端側で塞がれる第２抜止め溝部が形成され、
前記第２抜止め片をヒンジ部を介して嵌着本体部の内側に折り返して前記第２抜止め溝部内に収納し、
ボトルの口頸部にネジ止めされる前記上蓋取付部の動きを上下方向に規制しうることを特徴とする。
【０００７】
請求項３の発明では、
請求項１の構成に加えて、請求項２の構成を有することを特徴とする。
また、請求項４の発明では、
前記内筒底蓋が、外周に沿って立ち上がる環状の周壁部と、該周壁部の内側で周壁部より同心小径に設定された内側支承部と、該内側支承部と周壁部との間に形成されて内筒部の下端を嵌合する環状の嵌合溝部とを有しており、
前記内側支承部が、周壁部と対峙して立設する環状の内壁部と、該内壁部の下部で外側に突出し嵌合溝部の底部の中途位置まで延びて、内筒部の下端と衝合する環状のシール段部とを有していることを特徴とする。
更に、請求項５の発明では、
前記内筒底蓋の周壁部の上端に、外筒部の下端と衝合して気密状に内筒部内を密封する環状の補助シール部を固着してなることを特徴とする。
【発明の効果】
【０００８】
請求項１の発明によれば、断面略Ｌ字状の第１抜止め本体部をヒンジ部を折り曲げて未開封確認用のバンド部の内側に変位し、上蓋取付部に形成された雄ネジの下端部と嵌着本体部の上面との間に形成されて装着時に前記未開封確認用のバンド部で塞がれる第１抜止め溝部内に挿入することで、上蓋を未開封確認用のバンド部から分離する際に上方向の力が加わっても、未開封確認用のバンド部の動きを規制して、確実に上蓋を分離することができる。
また、請求項２の発明によれば、断面略Ｌ字状の第２抜止め本体部をヒンジ部を折り曲げて嵌着本体部の内側に変位し、ボトルの口頸部の雄ネジの下端部とその下方のフランジとの間に形成されて装着時に前記嵌着本体部の下端側で塞がれる第２抜止め溝部内に挿入することで、上蓋取付部に上下方向の力が加わっても、上蓋取付部の上下方向の動きを規制してボルトの口頸部から外れないようにすることができる。
請求項３の発明によれば、請求項１と請求項２の効果を同時に実現することができる。
請求項４の発明によれば、内筒部の下端を底面と内面の２方向からシールすることができ、シール性能の向上を図ることができる。
請求項５の発明によれば、更に外筒部との間もシールするので、シール性能を一層高めうる。
【発明を実施するための最良の形態】
【０００９】
この発明は、茶葉の微粉末を収納する内筒部の側周面および頂面の全域に亘ってその厚み方向の中間位置に遮光性やガスバリヤ性を有するバリア層を介設することで、茶葉の微粉末の品質が劣化しないという目的を実現した。
【実施例１】
【００１０】
以下に、この発明の好適な実施の形態を図面を参考にして詳細に説明する。
図１はボトルキャップ１がボトル５０に装着された状態の側面から見た部分断面図、図２はボトルキャップの取付状態を示す分解図である。
ボトルキャップ１は、本実施例ではポリプロピレンの成型品からなっており、ペットボトルなどのボトル５０の口頸部５１に嵌着される上蓋取付部５（図３参照）と、該上蓋取付部５に着脱可能に取り付けられるネジ蓋式の上蓋２（図４参照）とからなっている。
【００１１】
［上蓋取付部］
上蓋取付部５は、図１〜図３に示すように、上部に注口部６ａを有して上下両端が開口した略円筒状の外筒部６と、該外筒部６の中途位置で同心大径に拡径してから下方に延び、外筒部との間の隙間にペットボトル等のボトル５０の口頸部５１を嵌め込む嵌着本体部５Ａとを一体に設けている。
【００１２】
［外筒部］
前記外筒部６は、筒体からなって嵌着本体部５Ａの内側で上下に延びて一体に貫通しており、嵌着本体部５Ａより上側に突出した上部は、上端が開口する注口部６ａとなる。
また、注口部６ａから下方に延びて、嵌着本体部５Ａの内側で下方に突出した外筒挿入部６ｂは、嵌着本体部５Ａとの間にボトルの口頸部５１の嵌合される隙間を形成しながら嵌着本体部５Ａの下端よりも下方に垂下して下端が開口している。
【００１３】
この外筒挿入部６ｂの外周面は、ボトル口頸部５１に差し込みやすくするため極く僅かに先細となっている。
また嵌着本体部５Ａの上部は外筒部６の中途位置から同心大径に突出して嵌着本体部５Ａの上面となる段部５ａとなっている。
該段部５ａの内壁には、垂下する環状突部５ｂが形成されている（図１参照）。
【００１４】
この環状突部５ｂの下端縁部には、上蓋取付部５がボトル口頸部５１に嵌め込まれた際に口頸部５１の頂点を覆うことになる溝部５ｃが形成され、ボトル５０と上蓋取付部５とが密着するようになっている。
また、外筒部６の外径はボトルの口頸部５１の内径とほぼ同じ径に設定される。
【００１５】
嵌着本体部５Ａの内周面には、ボトル５０の口頸部５１の外周に刻設された雄ネジＮ１と螺合する雌ネジＮ２が切られている。
そして、嵌着本体部５Ａの外周面には滑り止め用の突条部５ｄが形成されている。
また前記注口部６ａの外周面には、後述の冠着された上蓋２をネジ止めするための雄ネジＮ３が刻設されている。
【００１６】
［上蓋］
上蓋２は、図１〜２、図４に示すように、上蓋本体３とその頂部３ａの下面から垂下して茶葉の微粉末を収納する内筒部４とからなっている。
上蓋本体３は、円形の頂部３ａと、その外周に沿って垂下する胴部３ｂとからなっている。
この胴部３ｂの内周面には、前記注口部６ａの雄ネジＮ３と螺合する雌ネジＮ４が形成されている（図１参照）。
また胴部３ｂの外周面には、滑り止め用ローレット３ｄが刻設されている。
【００１７】
［内筒部］
内筒部４は、下端が開口する筒体からなっており、上蓋本体３の胴部３ｂとの間に隙間を隔て胴部３ｂより下方へ長く突出している。
内筒部４の長さは、上蓋２を上蓋取付部５にネジ止めした際に外筒部６よりも所定の長さだけ長く突出しており、内筒部４の下部に内筒底蓋９を嵌着すると内筒底蓋９の周壁部９ｃの上端が外筒部６の下端とほぼ隙間無く接しうる長さに設定されている(図１、図５参照）。
【００１８】
内筒部４の肉厚は上端から下端までほぼ同じであるが、下端部は外筒部６内に差し込み易いようテーパー状に面取りしておくことが好ましい。
また、外筒部６から突出する内筒部４の先端は、内筒底蓋９の嵌合溝部９ａに嵌め込まれるが、その際に周壁部９ｃの内壁面に形成された内向き突部９ｄと係止するように環状凹部４ａを設けている。
【００１９】
また、上蓋本体３には、内筒部４の上部で胴部３ｂとの間に、同心大径で隙間を隔てて肉薄で短い密閉リング２３を一体に突設しており、内筒部４を注口部６ａの内周面に沿って嵌め込んだ際に、上蓋本体３の胴部３ｂ方向に押しつける公知構成となっている。
【００２０】
［内筒底蓋］
内筒底蓋９は、図１〜２、図５に示すように、外周に沿って立ち上がる環状の周壁部９ｃと、該周壁部９ｃの内側で周壁部９ｃより同心小径に設定された内側支承部９ｂと、該内側支承部９ｂと周壁部９ｃとの間に形成されて内筒部の下端を嵌合する環状の嵌合溝部９ａとを有している。
【００２１】
ここで、内側支承部９ｂは、周壁部９ｃと対峙して立設する環状の内壁部９１と、該内壁部９１の下部で外側に突出し嵌合溝部９ａの底部の中途位置まで延びて、内筒部４の下端と衝合する環状のシール段部９２と、内壁部９１の下部で内側を一連に塞ぐベース面９３とからなっている。
ここで、シール段部９２を嵌合溝部９ａの底部の中途位置までとし、その外側に隙間Ｓを残したのは、シール段部９２が内筒部４の下端に押しつけられてつぶれた際に横にはみ出して逃げるためである。
【００２２】
内側支承部９ｂは、内筒部４の下端と衝合して内筒部４内を密封するため、本実施例ではシリコンゴムやポリプロピレン等のシール性の高い素材を用いるのが好ましいが、この発明では、特に上記素材に限定されない。
【００２３】
また、図示例では内筒底蓋９と内側支承部９ｂとは別体としたが、一体に形成するものでもよく、その場合は内筒底蓋９の底面に内壁部９１とシール段部９２を形成すればよく、ベース面９３は省略することができる。
【００２４】
また、前記周壁部９ｃの上端には、外筒部６の下端との間で気密状に内筒部４内を密封する環状の補助シール部９ｅを固着している。
補助シール部９ｅは、内筒底蓋９の周壁部９ｃの上端に代えて外筒部６の下端に設けてもよい。
本実施例では補助シール部９ｅは、断面が周壁部９ｃの上面の内端から略中途位置まで延びるリングからなっており、外筒部６の下端に形成された段部６ｅに嵌合係止されるようになっている。
該段部６ｅは外筒部６の下端で内端角部から中途位置まで切りかかれる環状段部となっており、前記補助シール部９ｅに整合して掛止められるようになっている。
なお、この発明では、内筒底蓋の形状は上記実施例に限定されるものではなく、公知の形状であってもよいこと勿論である。
【００２５】
［未開封確認用のバンド部］
上蓋２については、上蓋本体３の胴部３ｂの下周縁に、上蓋本体３と一体成形した環状の未開封確認用のバンド部１１が分離可能に部分的に連結されている。
すなわち、上蓋２の胴部３ｂとバンド部１１は、小さく細い連結部である複数のブリッジ１２で僅かに一体に連結されているだけで、このブリッジ１２が切断されると分離するようになっている。
【００２６】
また、上蓋２の胴部３ｂの下周縁には小さな凹部１３ａ、バンド部１１には小さな凸部１３ｂが設けられ、互いに嵌合している。
なお、図中、符号１３ａ’は、凸部１３ｂの垂直壁側を覆うため垂下した補助凹部である。
図示例の場合、前記ブリッジ１２は、前記凹部１３ａの中央と凸部１３ｂの中央の間にも掛け渡されている。
なお、上蓋本体３の頂部３ａなどに、ねじ切る方向を示す矢印などを図示することが好ましい（図示せず）。
【００２７】
［第１抜止め溝部］
更に、上蓋取付部５の注口部６ａの外周面で、雄ネジＮ３の下端部Ｎ３ａと嵌着本体部５Ａの段部５ａとの間には、環状の横向き凹部からなって、装着時に未開封確認用のバンド部１１で塞がれる第１抜止め溝部６ｄが形成されている。
【００２８】
［第１抜止め片］
前記未開封確認用のバンド部１１の下部には、図示例の場合９０度間隔で、４つの第１抜止め片１４が一体に形成されている（図４参照）。
この第１抜止め片１４は、図６で明瞭なように、断面略Ｌ字状の第１抜止め本体部１４ａと、該第１抜止め本体部１４ａの基端と前記バンド部１１との間に介設された薄肉で折り曲げ可能なヒンジ部１４ｂとからなっている。
【００２９】
前記ヒンジ部１４ｂが一体に連結されたバンド部１１の下部には、前記ヒンジ部１４ｂを約１８０度折り曲げた際に前記第１抜止め本体部１４ａの基端側が嵌合する切欠溝１１ａが形成されており、上記折り曲げにより第１抜止め本体部１４ａは、前記第１抜止め溝部６ｄ内に嵌合し収納される。
これにより、第１抜止め本体部１４ａは雄ネジＮ３の下端部Ｎ３ａと、嵌着本体部５Ａの段部５ａ上面との間で上下方向の動きが規制され、未開封確認用のバンド部１１が上蓋取付部５の第１抜止め溝部６ｄから外れることが無い。
【００３０】
［第２抜止め溝部］
次に、ボトル５０の口頸部５１の外周面で、雄ネジＮ１の下端部Ｎ１ａとその下方のフランジＦとの間には、環状の横向き凹部からなって、装着時に上蓋取付部５の嵌着本体部５Ａの下端側で塞がれる第２抜止め溝部１６ｄが形成される（図１参照）。
【００３１】
［第２抜止め片］
前記上蓋取付部５の嵌着本体部５Ａの下部には、図示例の場合４５度間隔で、８つの第２抜止め片２２が一体に形成されている。
この第２抜止め片２２は、図７で明瞭なように、断面略Ｌ字状の第２抜止め本体部２２ａと、該第２抜止め本体部２２ａの基端と前記嵌着本体部５Ａとの間に介設された薄肉で折り曲げ可能なヒンジ部２２ｂとからなっている。
【００３２】
前記ヒンジ部２２ｂが一体に連結された嵌着本体部５Ａの下部には、前記ヒンジ部２２ｂを約１８０度折り曲げた際に前記第２抜止め本体部２２ａの基端側が嵌合する切欠溝２１ａが形成されており、上記折り曲げにより第２抜止め本体部２２ａは、前記第２抜止め溝部１６ｄ内に嵌合し収納される（図１参照）。
これにより、第２抜止め本体部２２ａは雄ネジＮ１の下端部Ｎ１ａと、フランジＦの上面との間で上下方向の動きが規制され、上蓋取付部５がボトル５０の口頸部５１から外れることが無い。
【００３３】
［組立方法］
このような構成としたボトルキャップは次のように組み立てられる（図２参照）。
上蓋取付部５と上蓋２との組み立てでは、内筒部４を外筒部６に挿入し、第１抜止め片１４を図１の点線から実線で示すように内側に折り曲げた状態で上蓋２の雌ネジＮ４を上蓋取付部５の雄ネジＮ３に螺合させ、更に環状のバンド部１１が第１抜止め溝部６ｄに整合するところまで上蓋２を外筒部６の注口部６ａに被せて、注口部６ａを密封する。
【００３４】
このとき、上蓋２の前記バンド部１１は、第１抜け止め溝部６ｄにより係止され上下方向の動きが規制されるとともに、内筒部４の下端部は外筒部６の下端開口から突出する。
この内筒部４の下端開口から所定量の茶葉の微粉末を投入してから、該下端開口に内筒底蓋９を嵌め込んで内筒部４を封止する。
【００３５】
即ち、外筒部６の下端部は、内筒部４に嵌着された内筒底蓋９の周壁部９ｃの上端と補助シール部Ｓ２を介して隙間無く嵌合する。
同時に、密閉リング２３は注口部６ａ内に圧入されて、上蓋本体３の頂部３ａが注口部６ａの上端に圧接し、密閉リング２３を胴部３ｂ方向に注口部６ａに押しつけて内外から挟持する。
【００３６】
内筒部４に内筒底蓋９を嵌着するときは、図４に示すように、内筒部４の下部外側に形成された環状凹部４ａに内筒底蓋９の周壁部９ｃの内向き突部９ｄが係合し、内筒底蓋９の環状溝部９ａに配置されたシール段部９２に内筒部４の下端外縁を押しつけるように密着させ、内筒部４の下端との間で密着される。
これと同時に、前述のように、外筒部６の下端部が内筒底蓋９の周壁部９ｃの上端との間で補助シール部９ｅによって密着される。
【００３７】
これにより、内筒部４を密封することができるだけでなく、内筒底蓋９と外筒部６とが密着して内筒部４のシール性を更に向上させることができる。
この内筒部４内には、本実施例では茶葉の微粉末が収納される。
また、上記茶葉の微粉末と共に圧力気体を共に封入してもよい。
【００３８】
上記のようにして組み立てたボトルキャップを、ペットボトル等のボトル５０の口頸部５１に装着する場合、外筒部６をボトル口頸部５１内に挿入し、第２抜止め片２２を図１の点線から実線で示すように内側に折り曲げた状態で、上蓋取付部５の嵌着本体部５Ａを閉じる方向に回して嵌着本体部５Ａの雌ネジＮ２をボトル口頸部５１の雄ネジＮ１に螺合し、抜け止め防止リング５ｂがボトルの口頸部５１の下部に形成した抜け止めリング５ｂを越え、口頸部５１の上端が環状突部５ｂに押しつけられた状態になる位置まで緊締し、ボトル５０とボトルキャップ１とを強固に密着させる。
この際に、上蓋取付部５は、第２抜け止め部１６ｄによりボトル口頸部５１に係止され上下方向の動きが規制される。
【００３９】
このボトル５０を使用する場合は、上蓋２の上蓋本体３を上蓋取付部５に対し開く方向に回して螺進させると、上蓋２のバンド部１１は、上蓋取付部５側の抜け止め部６ｄにより上昇を阻止されるため、バンド部１１との連結部であるブリッジ１２が切断してバンド部１１と上蓋本体３とが分離して上蓋本体３が上方に変位し、更に凹部１３ａと凸部１３ｂとの係合も外れる。
【００４０】
上蓋２を更に回転させると、これに伴いその内筒部４も回転しながら上昇するが、内筒底蓋９の周壁部９ｃの上端は外筒部６の下端に当接しているので上昇が阻止され、内筒部４から外れる。
これにより、内筒部４の下面が開放されて、収納されていた茶葉の微粉末が吐出され、内筒底蓋９は回転しながらボトル５０の液体内に渦を形成しながら沈下する。
上蓋２を抜き取っても、上蓋取付部５は、上記したように抜け止めリング５ｂの噛合によりボトル口頸部５１から外れない。
【００４１】
上蓋２を抜き取った後も、上蓋取付部５は、その外筒部６をボトル口頸部５１中に嵌合させたまま残る。
そのため、垂下筒部６ｂ外側とボトル口頸部５１の内側の間に液が入って排出しにくくならないよう、公知の手段であるスリットや孔を垂下筒部６ｂに設けてもよい。
【００４２】
また、上記実施例では、内筒部内に茶葉の微粉末を収納した場合を例示したが、この発明では、その他の飲料用の粉末や粒体などを収納するものであってもよい。
また、上記実施例では、同一構成の第１抜止め片と第２抜止め片を用いたが、一方が異なる公知の抜け止め構成を用いてもよい。
更に、内筒部には、その中間層としてガスバリア性を有するＥＶＯＨ樹脂フィルムアルミナなどのガスバリヤ性と遮光性を併せもつ素材、その他公知のバリヤ素材からなるバリア層を介設してもよい。
その他、用途に応じ、この発明の要旨を変更しない範囲内で種々設計することが可能である。
【図面の簡単な説明】
【００４３】
【図１】ボトルキャップがボトルに装着された状態の部分断面図である。
【図２】ボトルキャップの取付状態を示す分解図である。
【図３】上蓋取付部の正面図である。
【図４】上蓋の正面図である。
【図５】内筒底蓋の断面図である。
【図６】第１抜止め片の取付状態を示す要部拡大図である。
【図７】第２抜止め片の取付状態を示す要部拡大図である。
【符号の説明】
【００４４】
１    ボトルキャップ
２    上蓋
３    上蓋本体
３ａ  頂部
３ｂ  胴部
４    内筒部
５    上蓋取付部
５Ａ  嵌着本体部
５ａ  段部
５ｂ  環状突部
６ａ  注口部
６    外筒部
６ｄ  第１抜止め溝部
９    内筒底蓋
９ａ  嵌合溝部
９ｂ  内側支承部
９ｃ  周壁部
１１    未開封確認用のバンド部
１４    第１抜止め片
１４ａ  第１抜止め本体部
１４ｂ  ヒンジ部
２２    第２抜止め片
２２ａ  第２抜止め本体部
２２ｂ  ヒンジ部
【図１】
2009051555.tif 000003
【図２】
2009051555.tif 000004
【図３】
2009051555.tif 000005
【図４】
2009051555.tif 000006
【図５】
2009051555.tif 000007
【図６】
2009051555.tif 000008
【図７】
2009051555.tif 000009